(57)【要約】  金属係止タイ（５０）が開示される。金属係止タイ（５０）は、タイ本体（１５０）及び２段ヘッド（１００）を含む。タイ本体（１５０）は第１の端（１５２）及び第２の端（１６２）を含む。タイ本体（１５０）の第１の端（１５２）は２段ヘッド（１００）に固定される。２段ヘッド（１００）は、ルーフ（１０２）、底壁（１０６）、１段目のヘッドフロア（１１２）、及び２段目のヘッドフロア（１１４）を含む。２段ヘッド（１００）はまた、ヘッド（１００）内に配置された係止ボール（１２８）を含む。１段目のヘッドフロア（１１２）は、係止ボール（１２８）を受け入れるための係止変位穴（１２４）を含む。タイ本体（１５０）の第２の端（１６２）に張力がかかるときに、係止ボール（１２８）が係止変位穴（１２４）の方に動いてタイ本体（１５０）を２段ヘッド（１００）の中に固定する。
2014503760.tif 000002
【特許請求の範囲】
【請求項１】
金属係止タイであって、
第１の端及び第２の端を有するタイ本体と、
前記タイ本体の第１の端に固定されるヘッドであり、ルーフ、底壁、１段目のヘッドフロア、及び２段目のヘッドフロアを有し、前記１段目のヘッドフロアが係止変位穴を含む、ヘッドと、
前記ヘッド内に配置される係止ボールと、
を備え、前記タイ本体の前記第２の端に張力がかかるときに、前記係止ボールが前記係止変位穴の方に動いて前記タイ本体を前記ヘッドの中に固定する、
金属係止タイ。
【請求項２】
前記係止ボールが前記１段目のヘッドフロア上に配置される、請求項１に記載の金属係止タイ。
【請求項３】
前記ヘッドが、入口端、出口端、前記２段目のヘッドフロアと前記１段目のヘッドフロアの底部との間に画定される第１の通路、及び前記１段目のヘッドフロアの頂部と前記係止ボールとの間に画定される第２の通路を含み、前記第１の通路及び前記第２の通路が前記入口端から前記出口端に延在する、請求項１に記載の金属係止タイ。
【請求項４】
前記２段目のヘッドフロアがデュアルヘッドフロアである、請求項１に記載の金属係止タイ。
【請求項５】
前記ヘッドが、前記ヘッドの前記１段目のフロア上に配置される隆起したディンプルを含む、請求項１に記載の金属係止タイ。
【請求項６】
前記係止変位穴が前記１段目のヘッドフロアの中央に位置する、請求項１に記載の金属係止タイ。
【請求項７】
前記１段目のヘッドフロアが前記係止変位穴の各側に配置された隆起したディンプルをさらに備える、請求項６に記載の金属係止タイ。
【請求項８】
前記１段目のヘッドフロアが前記タイ本体を固定するための多数の接点を含み、張力をかけられた前記タイ本体が前記係止ボールを前記係止変位穴の方に動かして前記タイ本体に凹形面が形成される、請求項１に記載の金属係止タイ。
【請求項９】
前記タイ本体が上向きに延在する変形部及び下向きに延在する変形部を含み、前記タイ本体が前記ヘッドに固定されるときに前記上向きに延在する変形部が前記下向きに延在する変形部と係合する、請求項１に記載の金属係止タイ。
【発明の詳細な説明】
【技術分野】
【０００１】
本発明は、金属係止タイに関し、より具体的には２段ヘッドをもつ金属係止タイに関する。
【背景技術】
【０００２】
綿などの梱を束ねるための係止ボール及びローラピンを組み込んだ金属製バンドリング装置が１９世紀から用いられている。従来技術の装置のいずれもポジティブロックではなかった、すなわち、係止ヘッドの向きによっては、重力がボールをストラップとの係止係合から外れた状態に保持し、結果的に解放する可能性があった。特許文献１は、通されたストラップが係止ヘッドを出る際に該通されたストラップをフロア部から離れる方に偏向させるための隆起部又は突起部の付加を教示することによってこの問題に対処した。この偏向は、ボールの位置又は係止ヘッドの向きに関係なく係止ボールが通されたストラップと確実に継続的に係合する状態にする。
【先行技術文献】
【特許文献】
【０００３】
【特許文献１】米国特許第４，３９９，５９２号明細書
【発明の概要】
【発明が解決しようとする課題】
【０００４】
荷重下でのタイ本体の直線変位を減少させる改善された金属係止タイを提供することが望ましいであろう。
【０００５】
改善されたループ引張り性能を有する金属係止タイを提供することも望ましいであろう。
【課題を解決するための手段】
【０００６】
タイ本体及び２段ヘッドを有する金属係止タイが開示される。タイ本体は第１の端及び第２の端を含む。タイ本体の第１の端に２段ヘッドが固定される。２段ヘッドは、ルーフ、底壁、１段目のヘッドフロア、及び２段目のヘッドフロアを含む。２段ヘッドはまた、張力がかかったときにタイ本体を固定するための係止ボールを含む。１段目のヘッドフロアは、係止ボールを受け入れるための係止変位穴を含む。タイ本体の第２の端は、束の周りに１回又は複数回、及びタイ本体が２段目のヘッドフロアと１段目のヘッドフロアとの間に延びるように２段ヘッドを通して、ループにされる。最後のループは、２段ヘッドを通して、係止ボールと１段目のヘッドフロアとの間に通される。タイ本体の第２の端に張力がかかる際に、係止ボールが係止変位穴の方に動いてタイ本体をヘッドの中に固定する。
【図面の簡単な説明】
【０００７】
【図１】ケーブルの束の周りに設置された本発明の金属係止タイの斜視図である。
【図２】図１の金属係止タイの頂部斜視図である。
【図３】図１の金属係止タイの底部斜視図である。
【図４】タイ本体が２段ヘッドから分離した状態の、図１の金属係止タイの分解された頂部斜視図である。
【図５】タイ本体が２段ヘッドから分離した状態の、図４の金属係止タイの分解された底部斜視図である。
【図６】図１の金属係止タイの２段ヘッドの頂部斜視図である。
【図７】線７−７に沿って見た図４の２段ヘッドの断面図である。
【図８】図５の線８−８に沿って見たタイ本体の第１の端の断面図である。
【図９】タイ本体が２段目のデュアルヘッドフロアに沿って延びている状態の、ケーブルの束の周りに設置されている図１の金属係止タイの断面図である。
【図１０】タイ本体が１段目のヘッドフロアに沿って延びている状態の、ケーブルの束の周りに設置されている図１の金属係止タイの断面図である。
【図１１】図１０の金属係止タイの部分断面図である。
【図１２】線１２−１２に沿って見た図１１の金属係止タイの断面図である。
【図１３】係止ボールが係止変位穴に近づいており、且つタイ本体が１段目のヘッドフロアに沿って延びている状態の、図１０の金属係止タイの部分断面図である。
【図１４】線１４−１４に沿って見た図１３の金属係止タイの断面図である。
【図１５】係止ボールが係止変位穴の中に配置され、且つタイ本体が切断された状態の、図１０の金属係止タイの部分断面図である。
【図１６】本発明の代替的な金属係止タイの斜視図である。
【図１７】図１６の代替的な金属係止タイの２段ヘッドの底部斜視図である。
【図１８】線１８−１８に沿って見た図１７の２段ヘッドの断面図である。
【図１９】係止ボールが係止変位穴に近づいており、且つタイ本体が１段目のヘッドフロアに沿って延びている状態の、ケーブルの束の周りに設置されている図１６の代替的な金属係止タイの断面図である。
【図２０】線２０−２０に沿って見た図１９の金属係止タイの断面図である。
【図２１】係止ボールが係止変位穴の中に配置され、且つタイ本体が切断された状態の、図１９の金属係止タイの断面図である。
【発明を実施するための形態】
【０００８】
図１は、ケーブルの束１８０の周りに設置された本発明の金属係止タイ５０を例証する。本発明の金属係止タイ５０は、２段ヘッド１００及びタイ本体１５０を含む。図２及び図３は、タイ本体１５０の第１の端１５２が２段ヘッド１００の中に設置された状態の金属係止タイ５０を例証する。
【０００９】
図４、図５、及び図８は、２段ヘッド１００の中に設置される前のタイ本体１５０を例証する。タイ本体１５０は、折り畳み部１５４及び第２の端１６２と共に第１の端１５２を含む。折り畳み部１５４は、２段ヘッド１００の入口端１１６の周りに嵌る。タイ本体１５０の第１の端１５２は、上向きに延在する変形部１５６及び上向きに延在する係止タブ１５８を含む。タイ本体１５０はまた、タイ本体１５０が２段ヘッド１００の中に配置されるときに第１の変形部１５６と係合するように設計される第２の下向きに延在する変形部１６０を含む（図９〜図１１参照）。
【００１０】
図４〜図７は、２段ヘッド１００を例証する。２段ヘッド１００は、ルーフ１０２、天井部１０４、及び底壁１０６を含む。天井部１０４と底壁１０６は、側壁１１０によって接合される。２段ヘッド１００は、入口端１１６及び出口端１１８と共に１段目のヘッドフロア１１２及び２段目のデュアルヘッドフロア１１４を含む。図９〜図１１、図１３、及び図１５で例証されるように、第１の通路１２０（図５参照）は、２段目のデュアルヘッドフロア１１４と１段目のヘッドフロア１１２との間に位置し、第２の通路１２２は、１段目のヘッドフロア１１２と係止ボール１２８との間に位置する。
【００１１】
図７で例証されるように、１段目のヘッドフロア１１２は、１段目のヘッドフロア１１２の中央に位置する係止変位穴１２４を含む。係止変位穴１２４は、タイ本体１５０ではなく２段ヘッド１００に形成され、金属係止タイを固定するのに必要とされる構成部品の数を減らすことによってヘッドの中の係止ボールの位置合わせがずれる可能性を制限する。結果として、係止変位穴１２４をもつ２段ヘッド１００の設計は、係止変位穴１２４と係止ボール１２８との間の繰り返し可能で且つ一貫した関係性を生み出す。
【００１２】
１段目のヘッドフロア１１２はまた、２段ヘッド１００の側壁１１０に隣接する係止変位穴１２４の各側に配置された隆起したディンプル１２６を含む。
【００１３】
図９〜図１５は、ケーブルの束１８０の周りに設置されている本発明の金属係止タイ５０を例証する。図９で例証されるように、タイ本体１５０の第１の端１５２は、２段ヘッド１００の底壁１０６に沿って配置され、折り畳み部１５４は、第１の通路１２０の入口端１１６に配置される。タイ本体１５０は、２段目のデュアルヘッドフロア１１４に沿って２段ヘッド１００を通り延在する。タイ本体１５０の第１の変形部１５６と第２の変形部１６０がそれぞれ互いに接触する状態で、上向きに延びる係止タブ１５８が底壁１０６と係合してタイ本体１５０を２段ヘッド１００に固定する。
【００１４】
金属係止タイ５０をケーブルの束１８０の周りに設置するために、タイ本体１５０は、ケーブルの束１８０の周りに第１のループを形成する。次に、タイ本体１５０は、２段ヘッド１００の入口端１１６で第１の通路１２０に入る。タイ本体１５０は、該タイ本体１５０が２段ヘッド１００の中に設置されたタイ本体１５０の第１の端１５２と１段目のヘッドフロア１１２の底部との間に配置されるように第１の通路１２０を通り延在する。タイ本体１５０は、第２のループを完成させるためにケーブルの束１８０の周りに再び巻かれる。所望される場合、２段ヘッド１００は、第１の通路１２０を通したタイ本体１５０の付加的なループを可能にするために２段目のデュアルヘッドフロア１１４と１段目のヘッドフロア１１２との間により大きい隙間をもつように設計されてもよい。
【００１５】
図１０で例証されるように、タイ本体１５０がケーブルの束１８０の周りに第２のループを完成させると、タイ本体１５０は、２段ヘッド１００の入口端１１６で第２の通路１２２に入る。タイ本体１５０は、１段目のヘッドフロア１１２と係止ボール１２８との間に配置されるように第２の通路１２２を通り延在する。タイ本体１５０が第２の通路１２２を通り延在する際に、隆起したディンプル１２６がタイ本体１５０上に一次接点１３０を生み出し、係止ボール１２８がタイ本体１５０上に二次接点１３２を生み出す。
【００１６】
図１１〜図１４は、タイ本体１５０がケーブルの束１８０の周りで張力をかけられている状態の、２段ヘッド１００の中に設置されたタイ本体１５０を例証する。タイ本体１５０上の張力が増加する際に、タイ本体１５０は、２段ヘッド１００の中の係止変位穴１２４の方に係止ボール１２８を動かし始める（図１３参照）。係止ボール１２８が係止変位穴１２４に近づく際に、隆起したディンプル１２６がタイ本体１５０に二平面（ｂｉ−ｐｌａｎａｒ）湾曲をもたらす（図１４参照）。
【００１７】
張力をかけられたタイ本体１５０は、係止ボール１２８を入口端１１６及び隆起したディンプル１２６の方に寄せて、係止ボール１２８とタイ本体１５０との間により大きい接触表面積をもたらす。結果として、係止ボール１２８とタイ本体１５０との間の摩擦が増加する。
【００１８】
図１４は、タイ本体１５０の外縁上に２つの一次接点１３０を生み出す隆起したディンプル１２６を例証する。係止ボール１２８は、タイ本体１５０の中央に下向きの力をもたらして二次接点１３２を生み出す。タイ本体１５０は、凹形面又は二平面湾曲を形成し、これにより、係止ボール１２８とタイ本体１５０との間の接触表面積を増加させる。結果として、より短い、より効果的な係止作用が生じ、タイ本体１５０の直線変位が減少する。
【００１９】
図１５は、所定の張力に達し、且つタイ本体１５０が工具（例証されない）によって切断された後の、２段ヘッド１００の中に設置されたタイ本体１５０を例証する。係止ボール１２８とタイ本体１５０の一部は、係止変位穴１２４の中に配置されてタイ本体１５０を２段ヘッド１００の中に固定する。
【００２０】
金属係止タイ５０の２段ヘッド１００は、タイ本体１５０のループを分離する。結果として、タイ本体１５０を２段ヘッド１００を通して挿入するのに必要とされる力がタイ本体１５０の各ループに関して最小になる。
【００２１】
２段ヘッド１００の別の利点は、タイ本体１５０上の接点１３０、１３２が、係止ボール１２８とタイ本体１５０との間の継続的接触を改善する増加したばね状態をもたらすことである（図１３〜図１４参照）。
【００２２】
２段ヘッド１００はまた、タイ本体１５０の直線変位を減少させ、より強い金属係止タイ５０を提供し、金属係止タイ５０の性能の変動性を減少させる。
【００２３】
代替的に、２段ヘッドは、隆起したディンプルなしに設計されてもよい。図１６〜図２１は、２段ヘッド２５０及びタイ本体３００をもつ代替的な金属係止タイ２００を例証する。タイ本体３００は、図１〜図１５に関して説明されたタイ本体１５０と同一である。２段ヘッド２５０は、１段目のヘッドフロア２５２及び２段目のデュアルヘッドフロア２５４を含む。図１７〜図１８で例証されるように、１段目のヘッドフロア２５２だけが、１段目のヘッドフロアの中央付近に位置する係止変位穴２５６を含む。
【００２４】
代替的な金属係止タイ２００の２段ヘッド２５０は、タイ本体３００のループを分離する。結果として、タイ本体３００を２段ヘッド２５０を通して挿入するのに必要とされる力がタイ本体３００の各ループに関して最小になる。２段ヘッド２５０はまた、タイ本体３００の直線変位を減少させ、より強い金属係止タイ２００を提供し、金属係止タイ２００の性能の変動性を減少させる。
【００２５】
さらに、本発明の特定の好ましい実施形態が図示され説明されているが、本発明の教示から逸脱することなく変更及び修正を加えてもよいことが当業者には明らかであろう。上記の説明及び添付の図面に記載の事項は、限定するものとしてではなく単なる例証として与えられる。本発明の実際の範囲は、従来技術に基づくそれらの適正な観点で見たときに以下の請求項において定義されるように意図される。
【符号の説明】
【００２６】
５０  金属係止タイ
１００  ２段ヘッド
１０２  ルーフ
１０４  天井部
１０６  底壁
１１０  側壁
１１２  １段目のヘッドフロア
１１４  ２段目のデュアルヘッドフロア
１１６  入口端
１１８  出口端
１２０  第１の通路
１２２  第２の通路
１２４  係止変位穴
１２６  ディンプル
１２８  係止ボール
１３０  一次接点
１３２  二次接点
１５０  タイ本体
１５２  第１の端
１５４  畳み部
１５６  変形部
１５８  係止タブ
１６０  変形部
１６２  第２の端
【図１】
2014503760.tif 000003
【図２】
2014503760.tif 000004
【図３】
2014503760.tif 000005
【図４】
2014503760.tif 000006
【図５】
2014503760.tif 000007
【図６】
2014503760.tif 000008
【図７】
2014503760.tif 000009
【図８】
2014503760.tif 000010
【図９】
2014503760.tif 000011
【図１０】
2014503760.tif 000012
【図１１】
2014503760.tif 000013
【図１２】
2014503760.tif 000014
【図１３】
2014503760.tif 000015
【図１４】
2014503760.tif 000016
【図１５】
2014503760.tif 000017
【図１６】
2014503760.tif 000018
【図１７】
2014503760.tif 000019
【図１８】
2014503760.tif 000020
【図１９】
2014503760.tif 000021
【図２０】
2014503760.tif 000022
【図２１】
2014503760.tif 000023
【国際調査報告】
2014503760.tif 000024
2014503760.tif 000025